(57)【要約】      （修正有）【課題】膝を痛めるおそれをなくしたスクワット用運動用具を提供する。【解決手段】床に置かれるベース１の先端と足ＬＦをのせる台３を枢軸２で回動自在に結合する。台３とベース１間にばね部材７を間装してある。台３上には突形物４が足裏のつぼを押すように設けてある。ばね座８は上方へ向って凸な２次曲面となっていて、ベース１の溝の内距より少し大きな幅を有する。ばね部材７をベース１の溝に押し込むとばね座８は平板が反り返り固定される。スクワットでかがんだ姿勢から立上るときに足ＬＦが台３に加える動的荷重の増大分はばね部材７が縮むことにより吸収され膝に加わる力を緩和する。【選択図】図１
0003179684.tif 000002
【実用新案登録請求の範囲】
【請求項１】
後端が上下方向に移動可能に先端側がベースの先端側に枢着され足をのせる台と、
床上に置かれるベースと、
台の後端を上昇した状態で弾力で位置を保つように台とベース間に介在させるばね部材と、
台上に上方へ向って突出して設けられ足裏の中央部を押圧する突形物と、
を有することを特徴とするスクワット用運動用具。
【請求項２】
ばね部材はベース上に直立する圧縮コイルばねであり、ベースの先端と後端との間の位置を調節可能に設けられていることを特徴とするスクワット用運動用具。
【考案の詳細な説明】
【技術分野】
【０００１】
本考案は健康器具としてのスクワット用運動用具に関する。
【背景技術】
【０００２】
スクワットとは、腰をおろしてしゃがむ姿勢で行う運動を繰り返すことですが、骨と筋肉鍛錬効果は認められているが、ヒザを損傷することが予想されるため普及しませんでした。高齢化社会の到来で、腰痛や高血圧、動脈硬化など成人病の改善が急務となった今日、誰でも、何処でも出来て、短時間で効果が確実視されているところの、スクワット運動が安全に出来るための道具が要望されてきた。
【０００３】
スクワットは腰をおろしてしゃがむ運動で、太ももから腰や背筋を鍛える効果は他の運動と比較して大変優れた運動と認められていたが、膝関節の病気発生が危具され普及を妨げてきました。若者よりも高齢者にその傾向が多いのが特徴であった。しかし、高齢化社会に突入した今日、高齢者の体力改善にはスクワット運動を取り入れるのが医学界でも必要と考えられてきている。腰痛と高血圧など生活習慣病の改善には最も適した運動と考えられている。
【０００４】
スクワットとは、床上で腰をおろしてしゃがみ、腰をのばして直立することでウエートトレーニングの基本の一つとされています。そして、現在は何も持たないで腰をおろしてしゃがみ、腰をのばして直立することは健康法として広く用いられている。
【０００５】
健康法としてのスクワット運動にはバリエーションがある。通常のスクワット運動は床上で直立姿勢からしゃがむ姿勢とし、しゃがんだ姿勢から直立姿勢とすることを繰り返すものです。ヒンズースクワットは直立姿勢からしゃがんだ姿勢で椅子に座り、膝は直角にし、両手を水平に差し出すものです。中村式スクワットは直立姿勢からしゃがんだ折に膝の曲げ角は鈍角として爪先を上げて両手を水平として手を壁に手を当てて身体の倒れを支えるものです。
【０００６】
膝関節症は太ももの筋肉を鍛えると改善可能です。腰痛は主に加齢で起こる腰の骨や椎間板、筋肉の衰えが原因で発生します。スクワットの運動は、太もも、腰のまわり全体、背筋、背骨の周りを鍛えることが可能な運動です。
【０００７】
スクワットは高齢者の男女が、室内で多くの筋肉を動かして鍛えることができ、その結果、血液の循環精度が高まることが予想でき、高血圧の改善になります。高血圧の改善は高齢化社会の最重要課題でもあります。食事と運動は予防医学にとどまらないとされており、その運動の一つが「スクワット」です。
【先行技術文献】
【特許文献】
【０００８】
特許文献1    特開２００２−２２４１９１号公報
特許文献２    実用新案登録第３１６６７１６号公報
【非特許文献】
【０００９】
なし
【考案の概要】
【考案が解決しようとする課題】
【００１０】
特許文献１に記載の発明はエコノミークラス症候群を防止することを機序として足をのせる物で先が低く、根本側が高くなっているが側板を有し天板は不動である。特許文献２に記載の考案は足裏マッサージ器であってマッサージを行う突出部材をばねを介して駆動装置４０に結合している。足をのせる足のせ部は不動である。これらの特許文献１に記載のものは足を可動とすることはなく、仮にスクワット運動を行っても膝を損傷することが予想される。
この考案は膝関節に掛ける負担を小さくすることにより、膝の損傷の生じ難いスクワット用運動用具を提供することを目的とする。
【課題を解決するための手段】
【００１１】
スクワット運動は、若者や高齢者にかかわらず、地面や床の上で行うと膝関節に大きな負担がかかります。運動は毎日出来て、習慣にすることで運動効果が達成されます。その為には膝関節に大きな負担をかけないための道具が必要です。その手段として考案されたのがばね部材で付勢された台上でスクワットの姿勢を保ちながら、ばね部材を押して歩くように両足を動かす運動ができる道具です。スクワットは太ももを鍛える運動です。実験では、足先を外側に向けて、股を大きく開きスクワットしますと、腰、太ももの外側が動きます。股を小さく狭めて、足先を内側に向けて腰を落とししゃがむ姿勢のスクワットしますと、股の内側の筋肉が動きます。スクワットは過酷な運動と言われており、深層筋（インナーマッスル）までも鍛える効果があります。腰痛を改善できる理由はそこにあります。また、血圧を改善可能にする、血液循環精度向上にも、深層筋が関係しております。考案された、ばね部材で付勢された台の上に載って、スクワットの姿勢を保ちながらばね部材を押しながら歩くと、単なる、スクワットよりいっそうの効果が期待されます。
係るこの考案の第1の考案は後端が上下方向に移動可能に先端側がベースの先端側に枢着され足をのせる台と、
床上に置かれるベースと、
台の後端を上昇した状態で弾力で位置を保つように台とベース間に介在させるばね部材と、
台上に上方へ向って突出して設けられ足裏の中央部を押圧する突形物と、
を有することを特徴とするスクワット用運動用具です。
【００１２】
係るこの考案の第２の考案はばね部材はベース上に直立する圧縮コイルばねであり、ベースの先端と後端との間の位置を調節可能に設けられていることを特徴とするスクワット用運動用具です。
【考案の効果】
【００１３】
請求項１に係る考案によれば、スクワット運動で膝を伸ばす際に膝に加わる荷重がばね部材によって緩衝されるので膝を痛める可能性を低下させる。また、足裏を突形物で押え、台の揺動につれて足が台上で前滑りとなるのを防ぐと共に、前滑りとなろうとする際に突形物と足裏間の荷重変化によりマッサージをする効果がでる。
【００１４】
請求項２に係る考案によれば、圧縮コイルばねの前後方向（先端と後端を結ぶ方向）の位置によって人が乗っていない状態での台の傾斜が異にすることができる。そして、圧縮コイルばねの前後の位置によって、該ばねに加わる荷重が変化する。即ち、台に加わる荷重の大きさと荷重の加わる位置は一定であるので圧縮コイルばねに加わる荷重は圧縮コイルばねの前後位置により変化する。従って、スクワット運動をする際に、圧縮コイルばねの位置によって異なる運動感覚を得ることができる。
【図面の簡単な説明】
【００１５】
【図１】実施例の側断面図である。
【図２】図１において上部の部材を除いて左側から右方向を見る背面図である。
【図３】ばね部材の背面図である。
【図４】下ばね座の斜視図である。
【実施例】
【００１６】
以下、この考案の実施例を図面を用いて説明する。図１はスクワット用運動用具の実施例の側面図、図２はばね部材の背面図である。
【００１７】
後端３ｂが上下方向に移動可能に先端３ａ側がベース１に枢軸２で持って枢着され足ＬＦをのせる台（以下、台という）３を有する。台３の後端（図１において枢軸２の側とは反対端）３ｂ側に寄せて足ＬＦのくるぶしＬＦａが来るように足ＬＦは台３上に載せる位置において足裏ＬＦｂの中央部に押圧して当るように突形物４が設けてある。突形物４は台３上に上方向に向って突出し設けてある。突形物４は台３上に固定してある。本例の突形物４の台３への固定は突形物４はスペーサ５を介して台３のウエブ３ｄ上面に貼り付けたゴム板６上に接し、スペーサ５、ゴム板６を挿通して小ねじ１０が台３のウエブ３ｄにねじ込むことによっている。
【００１８】
ベース１は図１の紙面に直角で垂直な断面が溝形で、ウエブ１ａには前後端側に座板１ｂ，１ｂが設けてある。座板１ｂ，１ｂは図２に示すようにベース１の幅よりも大きく、ベース１の両側に突出している。座板１ｂ，１ｂによりベース１を床上に置いた際にスクワット用運動用具は安定する。
【００１９】
台３はベース１に丁度嵌合し、先端３ａと後端３ｂを結ぶ長手方向に直角な断面が溝形である。即ち、ベースのフランジ１ｃの内側面は台３のフランジ３ｃの外側面に接するか近接している。枢軸２は軸方向が図１の紙面に直交している。枢軸２はベース１、台３の両側のフランジ１ｃ，３ｃを貫通している。枢軸２はベース１、台３の先端１ｄ，３ａ側の夫々ウエブ１ａ，３ｄから遠い位置で夫々のフランジ１ｃ，３ｃを貫通している。
【００２０】
台３の後端３ｂを上昇した状態で弾力で位置を保つように台３とベース１間にばね部材７を介在させてある。本例のばね部材７はばね鋼製の圧縮コイルばねである。ばね部材としてはウエブ１ａ，３ｄ間にＵ字形の板ばねを挿入してもよい。また、枢軸２にねじりコイルばねを挿入し、一方のばね端をベース１に他方のばね端を台３に係止するようにしてもよい。
【００２１】
ばね部材７の下端はばね座８と接着し、上端はばね座９に接着している。接着剤としては例えば瞬間接着剤アロンアルファ（商標）が用いられる。ばね座８はベース１の先端１ｄと後端１ｅとの間で前後方向（図１において左右方向）に位置を調節可能に設けてある。ばね座８は弾性部材例えば、ゴム板である。ばね座８は図３、図４に示すようにばね部材７が組み付けられていない単体においては円弧形であり、例えば幅の図３において左右方向の長さＬ１は、ベース１のフランジ１ｃの内距Ｌ２よりも例えば０.５ミリメートル大きくしてある。
ばね座８は台１の両側のフランジ１ｃ間に嵌合しウエブ１ａに接し、ベース１の前後方向に位置を調節可能に不動とされるようになっている。
ベース１と台３は長さ（図１において左右方向の寸法）は等しくしてある。ベース１が水平に置かれると台３の後端３ｂは上り、台３は前下りとなっている。
【００２２】
台３の幅は足ＬＦの幅よりも若干大きい。台３の長さは足ＬＦの長さＬよりも大きい。本例では台３の全長は足ＬＦの長さＬの１.６３位となっている。突形物４の位置は足ＬＦを突形物４にのせた際に足ＬＦのくるぶしＬＦａ側が台３の後端３ｂから外れない位置となっている。
【００２３】
突形物４は球の一部とされた場合は台３の幅方向の中央に設ける。突形物４は断面が図示の円の一部と弦で囲まれた形で図１の紙面に直角方向に長い場合はその長さを台３と一致するように台３の幅に合わせる。
【００２４】
ばね部材７とばね座８，９の一体物はベース１のフランジ１ｃ間に取り外し可能に挿入される。図２に二点鎖線で円弧状に示すばね座８はベース１のフランジ１ｃ，１ｃ間に丁度嵌合するように挿入される。そしてばね座９を加圧して押し下げるとばね部材７を介してばね座８は変形して台１のウエブ１ａに接して平となる。ばね座８の寸法、形状、変形量を選ぶことにより、ばね座８は図２の実線で示す平板状に保たれる。ばね部材７をベース１から外すときは、図２において上方に引き上げるとばね座８はかまぼこ上面のように上方向って凸に湾曲し外れる。
従って、ばね部材７は前後位置が調整可能にベース１に取り付けられる。ばね部材７のベース１に対する位置の調節は図１において台３
【００２５】
を枢軸２を中心にして上方へ向って回動してベース１上方を開放して行われる。台３がベース１から上方へ移動するとベース１上にはほぼ自由長となったばね座８，９付のばね部材７が残っている。ばね部材７を持上げるとばね座８は復元して図３のようにかまぼこ上面のように上方に向って凸となりベース１のフランジ１ｃ，１ｃの対向面間の距離Ｌ２よりもばね座の幅Ｌ１はわずかに大きく（本例では０.５ミリメートル）なっているので、ばね座８，９付のばね部材７はベース１の溝から上方に向って抵抗少なく取り外せる。次に、ばね部材７をベース１の異なる位置でベース１の溝内に挿入し、ばね座８がベース１のウエブ１ａに着座させる。このとき、図１の二点鎖線に示すようにばね座８は円弧形を保っており、ばね座８の両側の下角８ａはベース１のウエブ１ａとフランジ１ｃの交叉する内隅１ｆに接する。内隅１ｆは小さなアールＲがある。ここでばね座９を押圧するとばね部材７を介してばね座８は中央部分が押圧され、下方に向ってわずかに凸となるように変形（反り返る）する。そこで、ばね部材７はベース１の長手方向の変形された位置に固定される。
【００２６】
スクワット運動を行う場合、上記にのべたスクワット用運動用具を左右の足用として２つ用いる。図１に示すようにベース１の座板１ｂを床上に着座する。このスクワット用運動用具は左右の足に１つ宛て用いる。
【００２７】
図１のように左右の足ＬＦを夫々のスクワット用運動用具に乗せてスクワット運動を行う。スクワット運動は立姿勢又は椅子に座った姿勢で行う。スクワットで膝をのばした状態から縮めるときは、膝に加わる膝から上の身体の重量は上体を下げる加速度の分だけ小さくなるので、膝は負荷が小さくなった状態で曲げる運動となる。従って、膝を縮める際は台３に足から加わる力の変化によってはばね部材７の伸縮は小さい。
【００２８】
膝を縮めた状態から立上ると膝から上の主として上体部分は大きな加速度を生じる。この加速度により膝には下方に向けて大きな力がかかる。膝に加わる力は下脚を通じて足ＬＦに加わる。足ＬＦは台３に乗っているので、上記加速度により生じた力の増加分は台３に加わる。そこで台３はばね部材７を加圧し、枢軸２を中心にして後端３ｂが下る。従って、足ＬＦが台３に加える力のスクワットの身体伸長時における力の増加分に基くエネルギーは台３が下る力積分だけ減少させられる。そこで、立上る際の膝に加わる方向の力は減少させられるので、膝の負荷は緩和される。
立上った後には、ばね部材７は体重に均衡する位置まで台３を復元する。この際、膝はのびている。  
【００２９】
上記により、ばね部材７は極力ばね常数を小さくしておくと、ばね部材７の位置における台３の下降する際の、上記立上る際の膝から上の重量に基く加速度によるばね部材７の圧縮量は増えるので膝に加わる力を小さくできる。
【００３０】
スクワット運動をすると台３に対して足の前後が加える力が変化する。そこで、半球体の突起物４により足裏のツボが前後方向にゆすられ、マッサージの効果がある。また、突起物４は台３が前下りであるので滑り止めの作用もする。
実施例は、ばね部材をベース１の先端１ｄと後端１ｅとの間を位置を調節可能としたが、ばね部材７のベース１の前後方向に対する位置は一定としても良い。
【産業上の利用可能性】
【００３１】
この考案の総ての部材は製作可能であり、組立に困難性はない。
【００３２】
通常のスクワットは大腿四頭筋を鍛えることができる。一方、通常のスクワットは膝蓋大腿関節面、いわゆるお皿まわりを痛めることがある。この考案によれば、スクワットの際に膝に加わる荷重を減少させるので、お皿まわりを痛めるおそれを低減できる。従って、この考案のスクワット用運動用具は広く使用されることが可能で有用である。
【符号の説明】
【００３３】
Ｌ…足の長さ  ＬＦ…足  ＬＦａ…くるぶし  ＬＦｂ…足裏
Ｒ…アール
１…ベース  １ａ…ウエブ  １ｂ…座板  １ｃ…フランジ  １ｄ…先端  １ｅ…後端  １ｆ…内隅    
２…枢軸
３…台  ３ａ…先端  ３ｂ…後端  ３ｃ…フランジ  ３ｄ…ウエブ
４…突形物
５…スペーサ
６…ゴム板
７…ばね部材  
８…ばね座  ８ａ…下隅
９…ばね座
１０…小ねじ
【図１】
0003179684.tif 000003
【図２】
0003179684.tif 000004
【図３】
0003179684.tif 000005
【図４】
0003179684.tif 000006
【手続補正書】
【提出日】平成24年9月10日(2012.9.10)
【手続補正１】
【補正対象書類名】実用新案登録請求の範囲
【補正対象項目名】全文
【補正方法】変更
【補正の内容】
【実用新案登録請求の範囲】
【請求項１】
後端が上下方向に移動可能に先端側がベースの先端側に枢着され足をのせる台と、
床上に置かれるベースと、
台の後端を上昇した状態で弾力で位置を保つように台とベース間に介在させるばね部材と、
台上に上方へ向って突出して設けられ足裏の中央部を押圧する突形物と、
を有することを特徴とするスクワット用運動用具。
【請求項２】
前記ばね部材はベース上に直立する圧縮コイルばねであり、ベースの先端と後端との間の位置を調節可能に設けられていることを特徴とする請求項１に記載のスクワット用運動用具。
【手続補正２】
【補正対象書類名】明細書
【補正対象項目名】００１２
【補正方法】変更
【補正の内容】
【００１２】
係るこの考案の第２の考案は前記ばね部材はベース上に直立する圧縮コイルばねであり、ベースの先端と後端との間の位置を調節可能に設けられていることを特徴とする第１の考案に記載のスクワット用運動用具です。